(57)【要約】【課題】高周波の異音の発生を抑制できる光源装置及びプロジェクターを提供すること。【解決手段】放電灯５と、反射鏡（主反射鏡）６とを備えた光源装置４１１は、一端が放電灯５に接続され、他端が反射鏡６の外縁に沿って延出するリード線Ｌ１を有する。放電灯５は、内部に一対の電極ＥＬ，ＥＲが配置される発光部５１１を備え、一方の電極ＥＬは、リード線Ｌ１に接続される。反射鏡６は、略凹曲面状の反射面６２２と、反射面６２２にて反射された光が通過する開口部６２１とを有する。リード線Ｌ１は、放電灯５との接続部位から開口部６２１の端縁までの経路上に形成され、当該リード線Ｌ１を折り曲げてなる折曲部Ｌ１１〜Ｌ１３を有し、折曲部Ｌ１１，Ｌ１２の内角はそれぞれ鋭角である。【選択図】図２
2011060643.tif 000002
【特許請求の範囲】
【請求項１】
放電灯と、当該放電灯から出射された光を反射する反射鏡とを備えた光源装置であって、
一端が前記放電灯に接続され、他端が前記反射鏡の外縁に沿って延出するリード線を有し、
前記放電灯は、内部に一対の電極が配置される発光部を備え、
前記一対の電極のうち、一方の電極は、前記リード線に接続され、
前記反射鏡は、略凹曲面状の反射面と、前記反射面にて反射された光が通過する開口部とを有し、
前記リード線は、前記放電灯との接続部位から前記開口部の端縁までの経路上に形成され、当該リード線を折り曲げてなる複数の折曲部を有し、
前記複数の折曲部のうち、少なくとも２つの内角はそれぞれ鋭角である
ことを特徴とする光源装置。
【請求項２】
請求項１に記載の光源装置において、
前記複数の折曲部は、
前記放電灯との接続部位から延出した位置に形成される第１折曲部と、
前記第１折曲部から延出した位置に形成される第２折曲部と、
前記第２折曲部から延出した位置に形成され、当該光源装置の光束出射側から見て前記開口部の端縁の外側に位置する第３折曲部とを備える
ことを特徴とする光源装置。
【請求項３】
請求項２に記載の光源装置において、
前記第１折曲部及び前記第２折曲部のそれぞれの内角は、鋭角に設定されている
ことを特徴とする光源装置。
【請求項４】
請求項２又は請求項３に記載の光源装置において、
前記第１折曲部は、当該光源装置の光束出射側から見て、前記開口部の端縁の外側に位置する
ことを特徴とする光源装置。
【請求項５】
請求項２又は請求項３に記載の光源装置において、
前記第１折曲部は、当該光源装置の光束出射側から見て、前記開口部の端縁の内側に位置する
ことを特徴とする光源装置。
【請求項６】
請求項２から請求項５のいずれかに記載の光源装置において、
前記リード線は、前記放電灯との接続部位から前記第１折曲部に向かう方向が、当該光源装置から出射される光束の光軸に対して傾斜している
ことを特徴とする光源装置。
【請求項７】
請求項６に記載の光源装置において、
前記リード線は、前記放電灯との接続部位から前記第１折曲部に向かう方向が、前記光軸に対して前記反射鏡に近接する方向に傾斜している
ことを特徴とする光源装置。
【請求項８】
請求項１から請求項７のいずれかに記載の光源装置を備えることを特徴とするプロジェクター。
【発明の詳細な説明】
【技術分野】
【０００１】
本発明は、光源装置及びプロジェクターに関する。
【背景技術】
【０００２】
従来、光源装置から出射された光束を変調して、画像情報に応じた画像を形成し、当該画像をスクリーン等の被投射面に拡大投射するプロジェクターが知られている。このようなプロジェクターに採用される光源装置としては、超高圧水銀灯等の放電灯と、当該放電灯に設けられる反射鏡とを備えたものが知られている。このような放電灯は、一般的に、一対の電極及び放電物質が封入される放電空間が形成された略球状の発光部、及び、当該発光部から互いに離間する方向に延出する封止部を有する発光管と、当該各封止部を介して電極に接続される一対のリード線とを有する。
【０００３】
ここで、このような放電灯の点灯方式としては、直流点灯方式と交流点灯方式とがある。これらのうち、交流点灯方式は、一対のリード線を介して、前述の各電極に交流電流を供給して、放電灯を点灯させる方式である。この交流点灯方式によれば、各電極の消耗を抑制することができるので、当該放電灯の長寿命化を図ることができる。
しかしながら、交流点灯方式では、各電極が陰極及び陽極に交互に遷移するために、各電極の温度上昇に伴う放電空間内の内圧の変化によって放電灯が振動する。そして、当該放電灯の振動は、当該放電灯の固有振動数と共振する点で更に大きくなり、前述のリード線を介して反射鏡に伝達されることによって拡張され、光源装置から高周波の異音が発生するという問題がある。
【０００４】
このような問題に対し、反射鏡に貫通穴部を形成し、当該貫通穴部に金属製円筒管を配置し、当該金属製円筒管の内部に緩衝材製円筒管を配置した光源装置が知られている（例えば、特許文献１参照）。
この特許文献１に記載の光源装置では、反射鏡が設けられる封止部とは反対側の封止部から延出するリード線（給電線）が緩衝材製円筒管を挿通する。これにより、放電灯（発光管）の振動が、リード線を介して反射鏡に伝達されることを抑制し、前述の高周波の異音の発生を抑制する。
【先行技術文献】
【特許文献】
【０００５】
【特許文献１】特開２００９−４３５３９号公報
【発明の概要】
【発明が解決しようとする課題】
【０００６】
しかしながら、特許文献１に記載の光源装置では、金属製円筒管及び緩衝材製円筒管が配置される貫通穴部を反射鏡に形成するため、発光部から出射され、当該貫通穴部に入射された光は、反射鏡によって適切に反射することができない。このため、当該光を光源装置から出射することができず、光の利用効率が低下するという問題がある。このため、高周波の異音の発生を抑制できる他の構成が要望されてきた。
【０００７】
本発明の目的は、高周波の異音の発生を抑制できる光源装置及びプロジェクターを提供することである。
【課題を解決するための手段】
【０００８】
前記した目的を達成するために、本発明の光源装置は、放電灯と、当該放電灯から出射された光を反射する反射鏡とを備えた光源装置であって、一端が前記放電灯に接続され、他端が前記反射鏡の外縁に沿って延出するリード線を有し、前記放電灯は、内部に一対の電極が配置される発光部を備え、前記一対の電極のうち、一方の電極は、前記リード線に接続され、前記反射鏡は、略凹曲面状の反射面と、前記反射面にて反射された光が通過する開口部とを有し、前記リード線は、前記放電灯との接続部位から前記開口部の端縁までの経路上に形成され、当該リード線を折り曲げてなる複数の折曲部を有し、前記複数の折曲部のうち、少なくとも２つの内角はそれぞれ鋭角であることを特徴とする。
【０００９】
このような放電灯としては、内部に一対の電極及び発光物質が封入される放電空間が形成された発光部と、当該発光部から互いに離間する方向に延出する一対の封止部とを有する発光管を備えたものを挙げることができ、例えば、超高圧水銀ランプ等を採用することができる。
本発明によれば、一端が発光部の反射鏡側とは反対側の電極に接続され、他端が当該反射鏡の外縁に沿って延出するリード線は、当該一端から反射鏡の開口部の端縁までの経路上に、複数の折曲部を有する。そして、これら折曲部のうち、少なくとも２つの折曲部の内角は、鋭角に設定されている。これによれば、放電灯が点灯して、当該放電灯が振動した場合でも、リード線の振動速度を低くすることができる。従って、反射鏡に当該振動が伝わる場合でも、高周波の異音の発生を抑制できる。また、交流点灯方式で、放電灯を高周波駆動させた場合には、リード線の振動速度を低くできるので、異音の発生を抑制しつつ、長寿命化を図ることができる。
【００１０】
また、反射鏡にリード線が挿通するための開口部を形成する必要がないので、反射鏡において発光部に対向する面の略全面を、当該発光部から入射される光を反射させる反射面として利用することができる。従って、発光部から出射される光の利用効率の低下を抑制することができる。
【００１１】
本発明では、前記複数の折曲部は、前記放電灯との接続部位から延出した位置に形成される第１折曲部と、前記第１折曲部から延出した位置に形成される第２折曲部と、前記第２折曲部から延出した位置に形成され、当該光源装置の光束出射側から見て前記開口部の端縁の外側に位置する第３折曲部とを備えることが好ましい。
ここで、折返部の数が多くなると、リード線の折返し工程、すなわち、光源装置の製造工程が多くなり、当該光源装置の製造コストが増大する。
これに対し、本発明では、リード線は、第１折曲部、第２折曲部及び第３折曲部の３つの折曲部を有するので、内角が鋭角に設定された２つの折曲部が含まれる折曲部の数を最小とすることができる。従って、光源装置の製造工程の簡略化及び製造コストの低減を図ることができる。
【００１２】
本発明では、前記第１折曲部及び前記第２折曲部のそれぞれの内角は、鋭角に設定されていることが好ましい。
本発明によれば、第１折曲部及び第２折曲部の内角を、それぞれ鋭角に設定することにより、当該各折曲部を鈍角に設定した場合に比べ、少なくとも１００００Ｈｚ以下の放電灯の駆動周波数の範囲で、リード線の振動速度を低減させることができる。従って、前述の異音の発生を確実に抑制することができる。
【００１３】
本発明では、前記第１折曲部は、当該光源装置の光束出射側から見て、前記開口部の端縁の外側に位置することが好ましい。
ここで、リード線における放電灯への接続部位から第１折曲部までの寸法が大きくなると、放電灯の点灯時のリード線の振動速度が低減される。このため、本発明では、第１折曲部が、反射鏡の開口部の端縁の外側に位置することにより、当該第１折返部が開口部の端縁の内側にある場合に比べ、当該寸法を大きくすることができ、リード線の振動速度を低減することができる。従って、前述の異音の発生を一層確実に低減することができる。
【００１４】
或いは、本発明では、前記第１折曲部は、当該光源装置の光束出射側から見て、前記開口部の端縁の内側に位置することが好ましい。
ここで、放電灯及び反射鏡を内部に収納するハウジング（筐体）が設けられる場合には、当該ハウジング内にリード線を収納するスペースを確保する必要がある。しかしながら、反射鏡が有する開口部の端縁の外側に第１折曲部が位置する場合には、開口部の端縁から、放電灯の先端（反射鏡から露出する放電灯の先端）に向かってハウジングを絞り込むことができず、当該ハウジングが大型化する。
これに対し、本発明では、第１折曲部が開口部の端縁の内側に位置することにより、リード線を収納するためのハウジング内のスペースを小さくすることができる。従って、当該ハウジング、ひいては、光源装置の小型化を図ることができる。
【００１５】
本発明では、前記リード線は、前記放電灯との接続部位から前記第１折曲部に向かう方向が、当該光源装置から出射される光束の光軸に対して傾斜していることが好ましい。
本発明によれば、リード線における放電灯との接続部位から第１折曲部に向かう方向が、光源装置から出射される光束の光軸に対して直交する場合に比べ、当該接続部位からのリード線の延出方向の振動速度を一層低減することができる。従って、前述の異音の発生をより一層抑制できる。
【００１６】
本発明では、前記リード線は、前記放電灯との接続部位から前記第１折曲部に向かう方向が、前記光軸に対して前記反射鏡に近接する方向に傾斜していることが好ましい。
本発明によれば、放電灯との接続部位から延出するリード線が、反射鏡から離間する方向に傾斜する場合に比べ、当該リード線を収納するスペースが大きくならない。従って、前述のハウジングが設けられた場合に、当該ハウジングの大型化を防ぐことができ、光源装置の小型化を図ることができる。
【００１７】
また、本発明のプロジェクターは、前述の光源装置を備えることを特徴とする。
本発明によれば、前述の光源装置と同様の効果を奏することができるので、高輝度な画像を表示することができるほか、プロジェクターによる画像表示時に高周波の異音が発生することを抑制することができる。
【図面の簡単な説明】
【００１８】
【図１】本発明の第１実施形態に係るプロジェクターの構成を示す模式図。
【図２】前記実施形態における放電灯及び主反射鏡を示す断面図。
【図３】前記実施形態における放電灯及び主反射鏡を示す斜視図
【図４】前記実施形態の比較例である光源装置を示す断面図。
【図５】前記実施形態における周波数応答解析結果を示す図。
【図６】本発明の第２実施形態に係るプロジェクターの光源装置の周波数応答解析結果を示す図。
【図７】本発明の第３実施形態に係るプロジェクターの光源装置を示す断面図。
【図８】前記実施形態における周波数応答解析結果を示す図。
【図９】本発明の第４実施形態に係るプロジェクターの光源装置を示す断面図。
【図１０】前記実施形態における周波数応答解析結果を示す図。
【図１１】前記実施形態の変形である光源装置を示す断面図。
【図１２】前記実施形態の変形である周波数応答解析結果を示す図。
【図１３】前記実施形態の変形である光源装置を示す断面図。
【図１４】前記実施形態の変形である周波数応答解析結果を示す図。
【図１５】前記実施形態の変形である光源装置を示す断面図。
【図１６】前記実施形態の変形である光源装置を示す断面図。
【図１７】本発明の第５実施形態に係るプロジェクターの光源装置を示す断面図。
【図１８】前記実施形態における周波数応答解析結果を示す図。
【発明を実施するための形態】
【００１９】
〔１．第１実施形態〕
以下、本発明の第１実施形態を図面に基づいて説明する。
図１は、本実施形態に係るプロジェクター１の構成を示す模式図である。
本実施形態に係るプロジェクター１は、内部に設けられた光源装置４１１から出射された光束を変調して、画像情報に応じた画像を形成し、当該画像をスクリーン等の被投射面上に拡大投射するものである。このプロジェクター１は、図１に示すように、外装筐体２、投射光学装置３及び画像形成装置４を備える。この他、プロジェクター１は、当該プロジェクター１内部を冷却する冷却ファン等で構成される冷却ユニット９１、プロジェクター１内部の各構成部材に電力を供給する電源ユニット９２、及び、プロジェクター１全体を制御する制御ユニット９３等を備える。
【００２０】
〔外装筐体及び投射光学装置の構成〕
外装筐体２は、合成樹脂又は金属により全体略直方体状に形成された筐体であり、前述の各装置３，４及び各ユニット９１〜９３等を内部に収納配置する。
投射光学装置３は、後述する画像形成装置４にて形成された画像を被投射面上に結像させるとともに、当該画像を拡大投射する。この投射光学装置３は、図示を省略するが、筒状の鏡筒内に複数のレンズが収納された組レンズとして構成されている。
【００２１】
〔画像形成装置の構成〕
画像形成装置４は、前述の制御ユニット９３による制御の下、画像情報に応じた画像光を形成する光学装置である。この画像形成装置４は、照明光学装置４１、色分離光学装置４２、リレー光学装置４３及び電気光学装置４４と、内部に設定された設計上の光軸である照明光軸Ａ上の所定位置に各装置４１〜４４を収納配置するほか、投射光学装置３を支持する光学部品用筐体４５とを備える。
【００２２】
照明光学装置４１は、光源装置４１１、一対のレンズアレイ４１２，４１３、偏光変換素子４１４及び重畳レンズ４１５を備える。このうち、光源装置４１１は、ハウジング４１６と、当該ハウジング４１６内に収納される放電灯５、主反射鏡６及び平行化凹レンズ７とを備える。これら放電灯５及び主反射鏡６の構成については、後に詳述する。
色分離光学装置４２は、ダイクロイックミラー４２１，４２２及び反射ミラー４２３を備え、リレー光学装置４３は、入射側レンズ４３１、リレーレンズ４３３及び反射ミラー４３２，４３４を備える。
電気光学装置４４は、フィールドレンズ４４１と、光変調装置としての３つの液晶パネル４４２（赤色光用、緑色光用及び青色光用の液晶パネルを、それぞれ４４２Ｒ，４４２Ｇ，４４２Ｂとする）と、それぞれ３つの入射側偏光板４４３、視野角補償板４４４及び出射側偏光板４４５と、色合成光学装置としてのクロスダイクロイックプリズム４４６とを備える。
【００２３】
このような画像形成装置４では、照明光学装置４１により照明領域内の照度が略均一化された光束が出射され、当該光束は、色分離光学装置４２により、赤（Ｒ）、緑（Ｇ）及び青（Ｂ）の３つの色光に分離される。これら分離された各色光は、各液晶パネル４４２にて画像情報に応じてそれぞれ変調され、色光毎の画像が形成される。そして、当該色光毎の画像は、クロスダイクロイックプリズム４４６にて合成され、投射光学装置３により被投射面上に拡大投射される。
【００２４】
〔放電灯の構成〕
図２及び図３は、放電灯５及び主反射鏡６をそれぞれ示す断面図及び斜視図である。
放電灯５は、供給されるランプ電流（本実施形態では、交流電流）により発光する光源である。この放電灯５は、図２及び図３に示すように、石英ガラスにより形成された発光管５１と、当該発光管５１に取り付けられる副反射鏡５２、リード線Ｌ１及び他のリード線（図示省略）とを備える。
【００２５】
〔発光管の構成〕
発光管５１は、発光部５１１と、一対の封止部５１２，５１３とを備える。このような放電灯５としては、高輝度発光する種々の放電光源ランプを採用することができ、例えば、超高圧水銀ランプ等を採用することができる。
発光部５１１は、発光管５１の中央部分に略球状に形成されている。この発光部５１１の内部には、一対の電極Ｅ（図２において左側の電極をＥＬ、右側の電極をＥＲとする）と、水銀、希ガス及び少量のハロゲンを含む発光物質とが封入される放電空間Ｄが形成されている。
【００２６】
一対の封止部５１２，５１３（図２において左側の封止部を５１２、右側の封止部を５１３とする）は、発光部５１１の両端から互いに離間する方向に延出しており、当該各封止部５１２，５１３における発光部５１１とは反対側の端部は、ガラス材料等で封止されている。これら封止部５１２，５１３の内部には、電極ＥＬ，ＥＲにそれぞれ電気的に接続されるモリブデン製の金属箔５１２１，５１３１が挿入されている。これら金属箔５１２１，５１３１は、それぞれ、封止部５１２，５１３の外部に延出するタングステン製の電極引出線５１４，５１５に接続されている。これらのうち、電極引出線５１４の先端（封止部５１２外に露出する部位の先端）には、圧着接続子５１６が設けられている。
【００２７】
圧着接続子５１６には、リード線Ｌ１が接続され、電極引出線５１５には、他のリード線（図示省略）が接続される。これらリード線は、図示を省略するが、コネクターを介して点灯装置（ともに図示省略）に接続される。そして、点灯装置からのランプ電流が、各リード線を介して電極引出線５１４，５１５に供給されると、金属箔５１２１，５１３１を介して電極ＥＬ，ＥＲ間に電位差が生じて放電が発生し、アーク像が形成されて発光部５１１内部が発光する。
なお、当該リード線Ｌ１の形状については、後に詳述する。
【００２８】
〔主反射鏡の構成〕
ここで、主反射鏡６について先に説明する。
主反射鏡６は、本発明の反射鏡に相当し、入射された光を反射させて、照明光軸Ａ上の第２焦点に収束させるガラス製の一体成形品である。この主反射鏡６は、封止部５１３にセメント等の接着剤Ｓにより固定される略円筒状の首状部６１と、当該首状部６１から凹曲面状に拡がる反射部６２とを有する。
首状部６１は、封止部５１３が挿通される開口部６１１を有する。この開口部６１１内には、封止部５１３が挿通された状態で接着剤Ｓが注入され、これにより、封止部５１２と主反射鏡６とが接着固定される。
【００２９】
反射部６２における封止部５１２側には、開口部６２１が形成されており、また、当該反射部６２において発光部５１１に対向する回転曲線形状の内面には、反射面６２２が形成されている。この反射面６２２は、可視光線を反射させ、赤外線及び紫外線を透過させるコールドミラーとして形成されている。そして、当該反射面６２２にて反射された光は、開口部６２１を介して、主反射鏡６の外部に出射される。
また、反射部６２には、開口部６２１の端縁の一部に切欠６２３が形成されている。
なお、本実施形態では、主反射鏡６は、反射面６２２として回転楕円面を有する楕円面リフレクターで構成されているが、回転放物面を有する放物面リフレクターで構成してもよい。この場合には、平行化凹レンズ７を省略した構成とする。さらに、主反射鏡６は、自由曲面リフレクターで構成してもよい。
【００３０】
〔副反射鏡の構成〕
副反射鏡５２は、発光部５１１から射出された光のうち、主反射鏡６側とは反対側に射出された光を、当該主反射鏡６の反射面６２２に向かって反射させるガラス製の成形品である。この副反射鏡５２は、略円筒状の首状部５２１と、当該首状部５２１における発光部５１３側の端部から拡がって、発光部５１１における封止部５１２側を覆う反射部５２２とを有する。
首状部５２１は、封止部５１２が挿通される開口部５２１１を有する。この開口部５２１１内には、封止部５１２が挿通された状態で接着剤Ｓが注入され、これにより、封止部５１２と副反射鏡５２とが接着固定される。
反射部５２２は、発光部５１１の外形に沿う略椀状に形成されており、当該発光部５１１と対向する面には、反射面５２２１が形成されている。この反射面５２２１は、可視光線を反射し、かつ、赤外線及び紫外線を透過するコールドミラーとして形成されている。
【００３１】
〔リード線の形状〕
リード線Ｌ１は、前述のように、一端が圧着接続子５１６に取り付けられ、主反射鏡６の反射部６２の外縁に沿って延出した後、他端がコネクターを介して点灯装置（ともに図示省略）に接続される。このリード線Ｌ１は、圧着接続子５１６との接続部位から、開口部６２１端縁までの経路上（換言すると、発光部５１１の中心Ｃ（電極Ｅ間の中心Ｃ）を通り、かつ、光源装置４１１から出射される光束の光軸Ｚに直交する仮想の平面Ｐに至るまでの経路上）に、当該リード線Ｌ１を折り曲げてなる複数の折曲部を有する。詳述すると、当該複数の折曲部は、圧着接続子５１６との接続部位から、主反射鏡６における光束出射側の端部までの経路上に、それぞれ形成されている。なお、光学部品用筐体４５内に光源装置４１１が配置された場合には、当該光学部品用筐体４５の内部に設定された照明光軸Ａと、光軸Ｚとは一致する。
【００３２】
具体的に、リード線Ｌ１は、本実施形態では、第１折曲部Ｌ１１、第２折曲部Ｌ１２及び第３折曲部Ｌ１３を有し、側面視略Ｎ字状に形成されている。
第１折曲部Ｌ１１は、圧着接続子５１６との接続部位から延出した位置に形成されている。この第１折曲部Ｌ１１は、光源装置４１１の光束出射側から見て、開口部６２１端縁の内側に形成されている。なお、圧着接続子５１６との接続部位からのリード線Ｌ１の延出方向と、光軸Ｚ（圧着接続子５１６の延出方向であり、発光管５１の軸方向）とは、略直交している。
第２折曲部Ｌ１２は、第１折曲部Ｌ１１から延出した位置に形成されている。この第２折曲部Ｌ１２は、光源装置４１１の光束出射側から見て、開口部６２１端縁の内側で、かつ、第１折曲部Ｌ１１より光軸Ｚに近い位置に形成されている。
【００３３】
第３折曲部Ｌ１３は、第２折曲部Ｌ１２から延出した位置で、かつ、反射部６２の外側に形成されている。すなわち、第３折曲部Ｌ１３は、光源装置４１１の光束出射側から見て、開口部６２１端縁の外側に形成されている。なお、当該第３折曲部Ｌ１３は、光軸Ｚに沿う方向の封止部５１２の略中央を通り、かつ、当該光軸Ｚに略直交する仮想の平面より光束出射側（圧着接続子５１６側）に形成されている。
【００３４】
これらのうち、第１折曲部Ｌ１１及び第２折曲部Ｌ１２の内角は、それぞれ鋭角（９０°より小さい角度）に設定されており、第３折曲部Ｌ１３の内角は、略直角に設定されている。具体的に、本実施形態では、圧着接続子５１６から第１折曲部Ｌ１１に至る経路と、第２折曲部Ｌ１２から第３折曲部Ｌ１３に至る経路とは、それぞれ略平行となっており、各折曲部Ｌ１１，Ｌ１２の内角は、それぞれ略３８°に設定されている。
そして、リード線Ｌ１は、主反射鏡６に接触しないように配置される。
なお、これら各折曲部Ｌ１１〜Ｌ１３の折曲点は、同一平面上に位置しているが、これに限らず、光源装置４１１の光束出射側から見て、互いにずれていてもよい。例えば、第１折曲部Ｌ１１及び第３折曲部Ｌ１３が同一平面上にあり、第２折曲部Ｌ１２が、当該各折曲部Ｌ１１，Ｌ１３に対してずれていてもよい。
【００３５】
〔光源装置の比較例〕
図４は、本実施形態に係る光源装置４１１の比較例である光源装置４１１Ａを示す断面図である。なお、図４以降に示す各光源装置の断面図においては、平行化凹レンズ７及びハウジング４１６の図示を省略する。
ここで、光源装置４１１に対する比較例である光源装置４１１Ａについて説明する。
光源装置４１１Ａは、光源装置４１１と同様の構成を備えるが、リード線の形状が異なる点において、光源装置４１１Ａと光源装置４１１とは相違する。
この光源装置４１１Ａに用いられるリード線ＬＡは、図４に示すように、圧着接続子５１６との接続部位から、開口部６２１の端縁（主反射鏡６における光束出射側の端部）までの経路上に形成された各折曲部ＬＡ１〜ＬＡ３を有する。そして、第１折曲部ＬＡ１及び第２折曲部ＬＡ２の内角は、それぞれ鈍角（９０°より大きい角度）に設定され、第３折曲部ＬＡ３の内角は、略直角に設定されている。
【００３６】
具体的に、第１折曲部ＬＡ１は、圧着接続子５１６との接続部位から、光軸Ｚに対する略直交方向に延出した位置に形成されており、内角は略１１３°に設定されている。そして、当該第１折曲部ＬＡ１は、光源装置４１１Ａの光束出射側から見て、開口部６１１端縁の内側に形成されている。
第２折曲部ＬＡ２は、第１折曲部ＬＡ１から延出した位置に形成されており、内角は略１１３°に設定されている。この第２折曲部ＬＡ２は、光源装置４１１Ａの光束出射側から見て、開口部６１１端縁の内側に位置で、かつ、第１折曲部ＬＡ１より光軸Ｚから離れた位置に形成されている。
【００３７】
第３折曲部ＬＡ３は、第２折曲部ＬＡ２から延出した位置に形成される。この第３折曲部ＬＡ３は、光源装置４１１Ａの光束出射側から見て、開口部６２１端縁の外側で、かつ、前述の切欠６２３に応じた位置に形成されており、リード線ＬＡが、反射部６２に接触しないように配置される。
【００３８】
〔リード線の振動速度〕
図５は、リード線Ｌ１，ＬＡの周波数応答解析結果を示す図である。なお、図５以降の周波数応答解析結果を示す図においては、横軸に放電灯の駆動周波数を示し、縦軸に圧着接続子５１６からの延出方向におけるリード線の振動速度を示す。
前述の光源装置４１１，４１１Ａにおいて、放電灯５を点灯させた場合、光源装置４１１Ａに比べて、光源装置４１１ではリード線Ｌ１の振動速度が小さくなる。
具体的に、図５において点線で示すように、光源装置４１１Ａでは、１００００Ｈｚ以下の範囲で、リード線ＬＡの振動速度は、略「１．０Ｅ−０５」（ｍ／ｓｅｃ／Ｎ）である。これに対し、図５において実線で示すように、光源装置４１１では、同範囲で、リード線Ｌ１の振動速度は、略「１．０Ｅ−０６」（ｍ／ｓｅｃ／Ｎ）である。この振動速度は、高いほど高周波音を発生させる要因となる。従って、発光管５１が振動した場合でも、光源装置４１１Ａに比べて、光源装置４１１では高周波音の発生が抑制される。
【００３９】
以上説明した本実施形態に係るプロジェクター１によれば、以下の効果がある。
（１）リード線Ｌ１は、圧着接続子５１６との接続部位から、開口部６２１端縁（主反射鏡６の光束出射側の端部）までの経路上に、内角が鋭角に設定された第１折曲部Ｌ１１及び第２折曲部Ｌ１２と、内角が略直角に設定された第３折曲部Ｌ１３とを有する。これによれば、放電灯５が点灯して振動した場合に、前述のように、リード線Ｌ１の振動速度（圧着接続子５１６との接続部位からの延出方向への振動速度）を低減できる。従って、高周波の異音の発生を抑制できる。
【００４０】
（２）第１折曲部Ｌ１１及び第２折曲部Ｌ１２の内角は、それぞれ鋭角に設定されている。これによれば、各折曲部ＬＡ１，ＬＡ２を鈍角に設定したリード線ＬＡに比べ、放電灯５の１００００Ｈｚ以下の駆動周波数の範囲で、リード線Ｌ１の振動速度を低減させることができる。従って、前述の異音の発生を確実に抑制することができる。
【００４１】
（３）リード線Ｌ１は、反射部６２を貫通しないので、当該反射部６２に形成された反射面６２２の全面を、発光部５１１から入射される光の反射に利用することができる。従って、反射部６２にリード線Ｌ１が貫通する孔部を形成した場合に生じる光の利用効率の低下を抑制することができる。
【００４２】
〔２．第２実施形態〕
次に、本発明の第２実施形態について説明する。
本実施形態に係るプロジェクターは、前述のプロジェクター１と同様の構成及び機能を備えるが、当該プロジェクター１に採用された光源装置４１１のリード線Ｌ１に比べて、線径の小さい（細い）リード線を有する光源装置を備える点で、本実施形態に係るプロジェクターと当該プロジェクター１とは相違する。
【００４３】
図６は、リード線Ｌ１の略１／２の線径を有するリード線の周波数応答解析結果を示す図である。
本実施形態に係るプロジェクターは、図示を省略するが、リード線Ｌ１と略同形状を有するものの、当該リード線Ｌ１の略１／２の線径を有するリード線を備える。具体的に、前述のリード線Ｌ１の線径が０．５ｍｍであったのに対し、本実施形態では、リード線の線径は、０．２５ｍｍに設定されている。
このリード線の振動速度は、図６において実線で示されるように、同図において一点鎖線で示すリード線Ｌ１の振動速度、及び、同図において点線で示すリード線ＬＡの振動速度に比べて、１００００Ｈｚ以下の放電灯５の駆動周波数の範囲で小さくなる。従って、前述のように、当該リード線を有する光源装置では、光源装置４１１，４１１Ａに比べて、高周波音の発生を一層抑制することができる。
以上説明した本実施形態のプロジェクターによれば、前述のプロジェクター１が奏する効果を一層好適に奏することができる。
【００４４】
〔３．第３実施形態〕
次に、本発明の第３実施形態について説明する。
本実施形態に係るプロジェクターは、前述のプロジェクター１と同様の構成を備えるが、リード線の第１折曲部の位置が、光源装置の光束出射側から見て、第１折曲部Ｌ１１の位置より光軸Ｚから離れている点で、本実施形態に係るプロジェクターと当該プロジェクター１とは相違する。なお、以下の説明では、既に説明した部分と同一または略同一である部分については、同一の符号を付して説明を省略する。
【００４５】
図７は、本実施形態に係るプロジェクターが備える光源装置４１１Ｂを示す断面図である。
本実施形態に係るプロジェクターは、光源装置４１１に代えて、光源装置４１１Ｂを備えるほかは、プロジェクター１と同様の構成及び機能を有する。また、光源装置４１１Ｂは、リード線Ｌ１に代えて、リード線Ｌ２を有するほかは、光源装置４１１と同様の構成を備える。
【００４６】
リード線Ｌ２は、リード線Ｌ１と同様に、一端が圧着接続子５１６に接続され、反射部６２の外縁に沿って延出した後、他端がコネクターを介して点灯装置（ともに図示省略）に接続される。このリード線Ｌ２は、当該圧着接続子５１６との接続部位から、開口部６２１端縁までの経路上に、当該リード線Ｌ２を折り曲げてなる複数の折曲部を有する。そして、本実施形態では、当該リード線Ｌ２は、図７に示すように、第１折曲部Ｌ２１、第２折曲部Ｌ２２及び第３折曲部Ｌ２３を有し、側面視略Ｎ字状に形成されている。
【００４７】
第１折曲部Ｌ２１は、光軸Ｚに対して略直交方向に圧着接続子５１６から延出した位置で、かつ、光源装置４１１Ｂの光束出射側から見て、開口部６２１端縁の外側に形成されている。
第２折曲部Ｌ２２は、第１折曲部Ｌ２１から延出した位置で、かつ、光源装置４１１Ｂの光束出射側から見て、開口部６２１の端縁の内側に位置している。
第３折曲部Ｌ２３は、第２折曲部Ｌ２２から延出した位置で、かつ、光源装置４１１Ｂの光束出射側から見て、開口部６１１の端縁の外側に形成されている。
【００４８】
この第２折曲部Ｌ２２から第３折曲部Ｌ２３に向かう方向は、圧着接続子５１６から第１折曲部Ｌ２１に向かう方向と略平行であり、当該第１折曲部Ｌ２１及び第２折曲部Ｌ２２の内角は、それぞれ鋭角となるように設定されている。具体的に、本実施形態では、第１折曲部Ｌ２１及び第２折曲部Ｌ２２の内角は、それぞれ略２３°に設定され、第３折曲部Ｌ２３の内角は、略直角に設定されている。
【００４９】
図８は、光源装置４１１Ｂの周波数応答解析結果を示す図である。
光源装置４１１Ｂでは、図８において実線で示すように、１００００Ｈｚ以下の駆動周波数の範囲で、リード線Ｌ２の振動速度は略「１．０Ｅ−１０」（ｍ／ｓｅｃ／Ｎ）となる。このため、当該範囲では、リード線Ｌ２の振動速度は、同図において一点鎖線で示すリード線Ｌ１の振動速度、及び、同図において点線で示すリード線ＬＡの振動速度に比べて低減される。
【００５０】
以上説明した本実施形態に係るプロジェクターによれば、プロジェクター１が有する効果（１）〜（３）と同様の効果があるほか、以下の効果がある。
（４）第１折曲部Ｌ２１が、開口部６２１の端縁より外側に位置することにより、圧着接続子５１６から第１折曲部Ｌ２１までの寸法を大きくすることができるので、高周波音の発生をより好適に抑制することができる。
なお、リード線Ｌ２は、本実施形態では、リード線Ｌ１と同様に、線径が０．５ｍｍに設定されているが、前述のように、当該線径を小さく（細く）することで、リード線Ｌ２の振動速度をより小さくすることができる。
【００５１】
〔４．第４実施形態〕
次に、本発明の第４実施形態に係るプロジェクターについて説明する。
本実施形態に係るプロジェクターは、前述のプロジェクター１と同様の構成を備える。ここで、当該プロジェクター１では、圧着接続子５１６から第１折曲部Ｌ１１に向かうリード線Ｌ１の延出方向は、光軸Ｚに対する略直交方向であった。これに対し、本実施形態に係るプロジェクターでは、リード線の延出方向は光軸Ｚに対して傾斜する。この点で、本実施形態に係るプロジェクターと、プロジェクター１は相違する。なお、以下の説明では、既に説明した部分と同一または略同一である部分については、同一の符号を付して説明を省略する。
【００５２】
図９は、本実施形態に係るプロジェクターが備える光源装置４１１Ｃを示す断面図である。
本実施形態に係るプロジェクターは、光源装置４１１に代えて、光源装置４１１Ｃを備えるほかは、プロジェクター１と同様の構成及び機能を有する。この光源装置４１１Ｃは、リード線Ｌ１に代えて、リード線Ｌ３を有するほかは、光源装置４１１と同様の構成を備える。
【００５３】
リード線Ｌ３は、図９に示すように、一端が圧着接続子５１６に接続され、反射部６２の外縁に沿って延出した後、他端がコネクターを介して点灯装置（ともに図示省略）に接続される。このリード線Ｌ３の圧着接続子５１６からの延出方向は、主反射鏡６に近接するように光軸Ｚに対して傾斜しており、本実施形態では、当該延出方向と光軸Ｚとの角度は７５°に設定されている。
このようなリード線Ｌ３は、リード線Ｌ１と同様に、圧着接続子５１６との接続部位から、開口部６２１の端縁までの経路上に、当該リード線Ｌ３を折り曲げてなる第１折曲部Ｌ３１、第２折曲部Ｌ３２及び第３折曲部Ｌ３３を有する。
【００５４】
第１折曲部Ｌ３１は、圧着接続子５１６から延出した位置に形成されており、内角が略３６°に設定されている。この第１折曲部Ｌ３１は、光源装置４１１Ｃの光束出射側から見て、主反射鏡６の開口部６２１端縁の内側に形成されている。
第２折曲部Ｌ３２は、第１折曲部Ｌ３１から延出した位置に形成されており、内角が略２１°に設定されている。この第２折曲部Ｌ３２は、光源装置４１１Ｃの光束出射側から見て、開口部６２１端縁の内側で、かつ、第１折曲部Ｌ３１より光軸Ｚに近い位置に形成されている。
第３折曲部Ｌ３３は、第２折曲部Ｌ３２から延出した位置で、かつ、光源装置４１１Ｃの光束出射側から見て、開口部６２１端縁の外側に形成されている。この第３折曲部Ｌ３３の内角は、略直角に設定されている。このような第３折曲部Ｌ３３は、前述の第３折曲部Ｌ１３，Ｌ２３と同様に、光軸Ｚに沿う方向における封止部５１２の略中央を通り、かつ、当該光軸Ｚに直交する平面より、やや圧着接続子５１６側に位置している。
【００５５】
図１０は、光源装置４１１Ｃの周波数応答解析結果を示す図である。
リード線Ｌ３の振動速度は、図１０において実線で示すように、１００００Ｈｚ以下の放電灯５の駆動周波数の範囲で、同図において一点鎖線で示すリード線Ｌ１の振動速度より、一部（５０００Ｈｚ近傍）を除いて低くなっている。
これによれば、リード線Ｌ１を用いた光源装置４１１の比べ、リード線Ｌ３を用いた光源装置４１１Ｃでは、高周波音の発生が一層抑制される。なお、前述のように、線径が小さい（細い）ほど、当該リード線Ｌ３の効果は顕著となる。
【００５６】
以上説明した本実施形態に係るプロジェクターによれば、前述のプロジェクター１が有する効果（１）〜（３）と同様の効果があるほか、以下の効果がある。
（５）圧着接続子５１６との接続部位からのリード線Ｌ３の延出方向が、光軸Ｚに対して直交する場合に比べ、当該延出方向のリード線Ｌ３の振動速度を低減できる。従って、前述の異音の発生をより一層抑制できる。
（６）リード線Ｌ３が、主反射鏡６から離間する方向に傾斜して延出する場合に比べ、当該リード線Ｌ３を収納するハウジング４１６内のスペースが大きくならない。従って、ハウジング４１６、ひいては、光源装置４１１Ｃの小型化を図ることができる。
【００５７】
図１１は、光源装置４１１Ｃの変形である光源装置４１１Ｄを示す断面図である。
前述の光源装置４１１Ｃの効果は、圧着接続子５１６からのリード線の延出方向と光軸Ｚとの角度を更に小さくした光源装置４１１Ｄを採用することにより、一層好適に奏することができる。以下、光源装置４１１Ｄについて説明する。
光源装置４１１Ｄは、図１１に示すように、リード線Ｌ３に代えて、リード線Ｌ４を備えるほかは、光源装置４１１Ｃと同様の構成を備える。このリード線Ｌ４の圧着接続子５１６からの延出方向は、主反射鏡６に近接するように、光軸Ｚに対して略６０°に設定されている。
【００５８】
このようなリード線Ｌ４は、圧着接続子５１６との接続部位から、開口部６２１端縁までの経路上に、当該リード線Ｌ４を折り曲げてなる第１折曲部Ｌ４１、第２折曲部Ｌ４２及び第３折曲部Ｌ４３を有する。
第１折曲部Ｌ４１は、圧着接続子５１６から延出した位置に形成され、内角が略２４°に設定されている。
第２折曲部Ｌ４２は、第１折曲部Ｌ４１から延出した位置に形成され、内角が略０°に設定されている。すなわち、第２折曲部Ｌ４２は、略Ｕ字状に折り返すように形成されている。これら第１折曲部Ｌ４１及び第２折曲部Ｌ４２は、光源装置４１１Ｄの光束出射側から見て、開口部６２１端縁の内側に形成されており、第２折曲部Ｌ４２は、第１折曲部Ｌ４１より光軸Ｚに近い位置に形成されている。
第３折曲部Ｌ４３は、第２折曲部Ｌ４２から延出した位置で、かつ、光源装置４１１Ｄの光束出射側から見て、開口部６２１端縁の外側に形成されている。そして、当該第３折曲部Ｌ４３の内角は、略直角に設定されている。
【００５９】
図１２は、光源装置４１１Ｄの周波数応答解析結果を示す図である。
リード線Ｌ４の振動速度は、図１２において実線で示すように、１００００Ｈｚ以下の放電灯５の駆動周波数の範囲で、略「１．０Ｅ−０８」〜「１．０Ｅ−０９」（ｍ／ｓｅｃ／Ｎ）である。この振動速度は、同図において一点鎖線で示すリード線Ｌ１の振動速度、及び、二点鎖線で示すリード線Ｌ３の振動速度に対して低くなっている。
これによれば、リード線Ｌ１，Ｌ３を用いた光源装置４１１，４１１Ｃに比べ、リード線Ｌ４を用いた光源装置４１１Ｄでは、前述の高周波の異音の発生が一層抑制される。従って、光源装置４１１Ｄを採用したプロジェクターによれば、プロジェクター１、及び、光源装置４１１Ｃを備えたプロジェクターより、当該異音の発生を一層抑制できる。
【００６０】
なお、圧着接続子５１６からのリード線の延出方向を傾斜させることによる高周波音の発生抑制という効果は、光源装置４１１Ａの変形である光源装置４１１Ｅ〜４１１Ｇにおいても奏することができる。
以下、光源装置４１１Ｅ〜４１１Ｇについて説明する。
【００６１】
図１３は、光源装置４１１Ｅを示す断面図である。
光源装置４１１Ｅは、リード線ＬＡに代えて、リード線ＬＥを備えるほかは、光源装置４１１Ａと同様の構成を備える。また、リード線ＬＥは、図１３に示すように、一端が光軸Ｚに対して傾斜するように圧着接続子５１６に接続され、反射部６２の外縁に沿って延出する。このリード線ＬＥは、当該圧着接続子５１６との接続部位から、開口部６２１の端縁までの経路上に、当該リード線ＬＥを折り曲げてなる第１折曲部ＬＥ１、第２折曲部ＬＥ２及び第３折曲部ＬＥ３を有する。
【００６２】
第１折曲部ＬＥ１は、光軸Ｚに対して略６０°傾斜するように圧着接続子５１６から延出した位置に形成され、内角は略１４８°に設定されている。この第１折曲部ＬＥ１は、光源装置４１１Ｅの光束出射側から見て、開口部６２１端縁の内側に位置する。
第２折曲部ＬＥ２は、第１折曲部ＬＥ１から延出した位置に形成されており、内角は略１１８°に設定されている。この第２折曲部ＬＥ２は、光源装置４１１Ｅの光束出射側から見て、開口部６２１端縁の内側で、かつ、第１折曲部ＬＥ１より光軸Ｚから離間した位置に形成されている。また、当該第２折曲部ＬＥ２は、光軸Ｚに直交する方向から見て（図１３を視認する方向から見て）、当該開口部６２１端縁と重なる位置に形成される。
第３折曲部ＬＥ３は、第２折曲部ＬＥ２から延出した位置で、かつ、光源装置４１１Ｅの光束出射側から見て、開口部６２１端縁の外側に形成されている。この第３折曲部ＬＥ３の内角は、略直角に設定されている。また、当該第３折曲部ＬＥ３は、前述の切欠６２３に対応した位置に配置される。
【００６３】
図１４は、光源装置４１１Ｅの周波数応答解析結果を示す図である。
リード線ＬＥの振動速度は、図１４において実線で示すように、１００００Ｈｚ以下の放電灯５の駆動周波数の範囲で、略「１．０Ｅ−０６」（ｍ／ｓｅｃ／Ｎ）であり、同図において点線で示すリード線ＬＡの振動速度より低くなる。これによれば、前述のように、リード線ＬＥを用いた光源装置４１１Ｅは、リード線ＬＡを用いた光源装置４１１Ａに比べて、高周波音の発生を抑制できる。
【００６４】
図１５及び図１６は、光源装置４１１Ｅの変形である光源装置４１１Ｆ，４１１Ｇをそれぞれ示す断面図である。
以上説明のようなリード線を光軸Ｚに対して傾斜させることの効果は、第１折曲部、第２折曲部及び第３折曲部のそれぞれの内角に依存しない。以下、当該効果と内角とについて説明する。
図１５に示す光源装置４１１Ｆは、リード線ＬＥに代えて、リード線ＬＦを有するほかは、光源装置４１１Ｅと同様の構成を有する。このリード線ＬＦは、圧着接続子５１６との接続部位から、開口部６２１端縁までの経路上に、第１折曲部ＬＦ１、第２折曲部ＬＦ２及び第３折曲部ＬＦ３を備える。
【００６５】
第１折曲部ＬＦ１は、光軸Ｚに対して略６５°で圧着接続子５１６から延出した位置に形成され、当該第１折曲部ＬＦ１の内角は、略１４３°に設定されている。
第２折曲部ＬＦ２は、第１折曲部ＬＦ１から延出した位置に形成され、当該第２折曲部ＬＦ２の内角は、略１２６°に設定されている。これら第１折曲部ＬＦ１及び第２折曲部ＬＦ２は、光源装置４１１Ｆの光束出射側から見て、開口部６２１端縁の内側に形成され、第２折曲部ＬＦ２は、第１折曲部ＬＦ１より光軸Ｚから離間した位置に形成される。
第３折曲部ＬＦ３は、第２折曲部ＬＦ２から延出した位置に形成され、当該第３折曲部ＬＦ３の内角は、略９８°に設定されている。この第３折曲部ＬＦ３は、光源装置４１１Ｆの光束出射側から見て、開口部６２１端縁の外側に形成されており、詳述すると、前述の切欠６２３に応じた位置に形成されている。
【００６６】
また、図１６に示す光源装置４１１Ｇは、リード線ＬＥに代えて、リード線ＬＧを有するほかは、光源装置４１１Ｅと同様の構成を有する。このリード線ＬＧは、圧着接続子５１６との接続部位から、開口部６２１の端縁までの経路上に、第１折曲部ＬＧ１、第２折曲部ＬＧ２及び第３折曲部ＬＧ３を備える。
【００６７】
第１折曲部ＬＧ１は、光軸Ｚに対して略１１５°傾斜するように圧着接続子５１６から延出した位置に形成され、当該第１折曲部ＬＦ１の内角は、略８８°に設定されている。
第２折曲部ＬＧ２は、第１折曲部ＬＧ１から延出した位置に形成され、当該第２折曲部ＬＧ２の内角は、略１０３°に設定されている。これら第１折曲部ＬＧ１及び第２折曲部ＬＧ２は、光源装置４１１Ｇの光束出射側から見て、開口部６２１端縁の内側に形成され、第２折曲部ＬＧ２は、第１折曲部ＬＧ１より光軸Ｚから離間した位置に形成される。
第３折曲部ＬＧ３は、第２折曲部ＬＧ２から延出した位置に形成され、当該第３折曲部ＬＧ３の内角は、略７９°に設定されている。この第３折曲部ＬＧ３は、光源装置４１１Ｇの光束出射側から見て、開口部６２１端縁の外側に形成されている。
そして、リード線ＬＦ，ＬＧの周波数応答解析の結果は図示を省略するが、光源装置４１１Ｆ，４１１Ｇにおいても、リード線ＬＡに比べて、リード線ＬＦ，ＬＧの振動速度を低減することができ、前述の異音の発生を抑制できるという効果を奏することができる。
【００６８】
〔５．第５実施形態〕
次に、本発明の第５実施形態について説明する。
本実施形態に係るプロジェクターは、前述のプロジェクター１と同様の構成及び機能を有する。ここで、前述の光源装置４１１Ｂ（図７）では、リード線Ｌ２は、光軸Ｚに対して略直交するように圧着接続子５１６に接続されていたのに対し、本実施形態に係るプロジェクターが備える光源装置では、リード線が光軸Ｚに傾斜するように、圧着接続子５１６に接続される点で、本実施形態に係るプロジェクターと、当該光源装置４１１Ｂを備えるプロジェクターとは相違する。なお、以下の説明では、既に説明した部分と同一または略同一である部分については、同一の符号を付して説明を省略する。
【００６９】
図１７は、本実施形態に係るプロジェクターが備える光源装置４１１Ｈを示す断面図である。
本実施形態に係るプロジェクターは、光源装置４１１Ｂに代えて、光源装置４１１Ｈを備えるほかは、当該光源装置４１１Ｂを備える前述のプロジェクターと同様の構成及び機能を有する。この光源装置４１１Ｈは、図１７に示すように、リード線Ｌ２に代えて、リード線Ｌ５を有するほかは、光源装置４１１Ｂと同様の構成を備える。
【００７０】
リード線Ｌ５は、前述の各リード線と同様に、一端が、光軸Ｚに対して傾斜するように圧着接続子５１６に接続され、反射部６２の外縁に沿って延出した後、他端がコネクターを介して点灯装置（ともに図示省略）に接続される。このリード線Ｌ５は、当該圧着接続子５１６との接続部位から、開口部６２１の端縁までの経路上に、当該リード線Ｌ５を折り曲げてなる第１折曲部Ｌ５１、第２折曲部Ｌ５２及び第３折曲部Ｌ５３を有する。なお、本実施形態では、当該各折曲部Ｌ５１〜Ｌ５３は、封止部５１２における光軸Ｚに沿う方向の中央を通り、かつ、当該光軸Ｚに直交する平面より、光源装置４１１Ｈの光束出射側に位置している。
【００７１】
第１折曲部Ｌ５１は、圧着接続子５１６から、主反射鏡６に近接する方向に光軸Ｚに対して略７０°傾斜して延出した位置に形成され、内角は略１７°に設定されている。
第２折曲部Ｌ５２は、第１折曲部Ｌ５１から延出した位置に形成され、内角は略０°に設定されている。すなわち、第２折曲部Ｌ５２は、リード線Ｌ５を略Ｕ字状に折り返すことで形成されている。
第３折曲部Ｌ５３は、第２折曲部Ｌ５２から延出した位置に形成されており、内角は略直角に設定されている。
これらのうち、第２折曲部Ｌ５２は、光源装置４１１Ｈの光束出射側から見て、開口部６２１端縁の内側に形成されているが、第１折曲部Ｌ５１及び第３折曲部Ｌ５３は、開口部６２１端縁の外側に形成されている。そして、第１折曲部Ｌ５１と第３折曲部Ｌ５３との距離は、前述の第１折曲部Ｌ２１と第３折曲部Ｌ２３（ともに図７参照）との距離よりも短くなっている。
【００７２】
図１８は、光源装置４１１Ｈの周波数応答解析結果を示す図である。
リード線Ｌ５の振動速度は、図１８において実線で示すように、１００００Ｈｚ以下の放電灯５の駆動周波数の範囲で、同図において一点鎖線で示すリード線Ｌ１の振動速度、及び、同図において二点鎖線で示すリード線Ｌ２の振動速度に比べて低くなっている。これによれば、リード線Ｌ５が、リード線Ｌ１，Ｌ２に比べて振動しにくくなっていることが分かる。このため、前述のように、光源装置４１１Ｈでは、光源装置４１１，４１１Ｂに比べて、高周波音が発生しにくくなっている。
【００７３】
以上説明した本実施形態に係るプロジェクターによれば、前述の効果（１）〜（６）をより好適に奏することができる。
なお、本実施形態では、リード線Ｌ５の線径は０．５ｍｍとしているが、前述のように、当該線径を小さく（細く）することにより、リード線Ｌ５の振動速度を一層低くすることができ、これにより、高周波音の発生を一層低減することができる。
【００７４】
〔６．実施形態の変形〕
本発明は前述の実施形態に限定されるものではなく、本発明の目的を達成できる範囲での変形、改良等は本発明に含まれるものである。
前記各実施形態では、リード線は３つの折曲部を有するが、本発明はこれに限らない。すなわち、リード線に形成される折曲部の数は、内角が鋭角に設定された２つの折曲部を含んで３つ以上であれば、適宜設定可能である。例えば、それぞれ内角が鋭角に設定された３つの折曲部を有するリード線を採用してもよく、５つの折曲部を有するリード線を採用してもよい。
【００７５】
前記各実施形態では、第１折曲部、第２折曲部及び第３折曲部の内角を、それぞれ上記のように設定したが、本発明はこれに限らない。すなわち、各折曲部の内角は、適宜設定可能である。
前記第３〜第５実施形態では、圧着接続子５１６からのリード線の延出方向と光軸Ｚとの角度を、上記のように設定したが、本発明はこれに限らない。すなわち、当該角度も適宜設定可能である。
【００７６】
前記各実施形態では、第３折曲部Ｌ１３，Ｌ２３，Ｌ３３，Ｌ４３，Ｌ５３は、開口部６２１の端縁から、各光源装置の光束出射側（封止部５１２側）に位置していたが、本発明はこれに限らない。すなわち、第３折曲部は、開口部６２１の端縁近傍に配置してもよい。この場合、当該第３折曲部を切欠６２３内に配置するようにしてもよい。この際、切欠６２３の端縁から、第３折曲部、すなわち、リード線が離間するように配置させやすくすることができ、当該リード線の振動を主反射鏡６に伝えにくくすることができる。
【００７７】
前記各実施形態では、プロジェクターは、３つの液晶パネル４４２Ｒ，４４２Ｇ，４４２Ｂを備えるとしたが、本発明はこれに限らない。すなわち、２つ以下、あるいは、４つ以上の液晶パネルを用いたプロジェクターにも、本発明を適用可能である。
前記各実施形態では、画像形成装置４は平面視略Ｌ字形状を有した構成を説明したが、これに限らず、例えば、平面視略Ｕ字形状を有した構成を採用してもよい。
前記各実施形態では、光束入射面と光束射出面とが異なる透過型の液晶パネル４４２を用いていたが、光入射面と光射出面とが同一となる反射型の液晶パネルを用いてもよい。
【００７８】
前記各実施形態では、光変調装置として液晶パネル４４２を備えたプロジェクターを例示したが、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクターにも、本発明を適用することも可能である。このような光変調装置を用いた場合、光束入射側及び光束射出側の偏光板４４３，４４５は省略することができる。
【００７９】
前記各実施形態では、光源装置４１１，４１１Ａ〜４１１Ｈを、プロジェクターに採用した例を挙げたが、本発明はこれに限らない。すなわち、このような光源装置は、スタンド等の照明装置に利用することも可能である。
【産業上の利用可能性】
【００８０】
本発明は、光源装置に利用でき、特に、プロジェクターに採用される光源装置に好適に利用することができる。
【符号の説明】
【００８１】
１…プロジェクター、５…放電灯、６…主反射鏡（反射鏡）、６２１…開口部、６２２…反射面、４１１，４１１Ｂ〜４１１Ｄ，４１１Ｈ…光源装置、５１１…発光部、Ｅ（ＥＬ，ＥＲ）…電極、Ｌ１〜Ｌ５…リード線、Ｌ１１，Ｌ２１，Ｌ３１，Ｌ４１，Ｌ５１…第１折曲部（折曲部）、Ｌ１２，Ｌ２２，Ｌ３２，Ｌ４２，Ｌ５２…第２折曲部（折曲部）、Ｌ１３，Ｌ２３，Ｌ３３，Ｌ４３，Ｌ５３…第３折曲部（折曲部）、Ｚ…光軸。
【図１】
2011060643.tif 000003
【図２】
2011060643.tif 000004
【図３】
2011060643.tif 000005
【図４】
2011060643.tif 000006
【図５】
2011060643.tif 000007
【図６】
2011060643.tif 000008
【図７】
2011060643.tif 000009
【図８】
2011060643.tif 000010
【図９】
2011060643.tif 000011
【図１０】
2011060643.tif 000012
【図１１】
2011060643.tif 000013
【図１２】
2011060643.tif 000014
【図１３】
2011060643.tif 000015
【図１４】
2011060643.tif 000016
【図１５】
2011060643.tif 000017
【図１６】
2011060643.tif 000018
【図１７】
2011060643.tif 000019
【図１８】
2011060643.tif 000020